【事件の表示】
　特許第２７９７３６３号「電子楽器」の請求項１ないし２に係る特許に対する特許異議の申立てについて、次のとおり決定する。
【結論】
　特許第２７９７３６３号の請求項１ないし２に係る特許を取り消す。
【理由】
（１）手続の経緯
　本件特許第２７９７３６３号に係る発明についての出願は、平成１年１月１９日に出願され、平成１０年７月３日にその発明について特許の設定登録され、その後、その特許について、異議申立人松本克範より特許異議の申し立てがなされ、平成１１年５月２１日付で取消理由通知がなされたものである。
（２）特許異議申し立てについての判断
ア．本件発明
　本件の特許請求の範囲の請求項１、請求項２の発明は、特許明細書および図面の記載からみて、それぞれ、その特許請求の範囲の請求項１、請求項２に記載された下記の通りのものと認める。
　【請求項１】各発音開始指示毎に音色が異なる複数の楽音信号を同時に発音する第１の発音態様を含む一以上の発音態様のいずれかにて発音する音源手段と、
該音源手段で前記各発音開始指示毎に同時に発音される、前記音色が異なる複数の楽音信号に共通の低周波変調を付加する第１の変調付加手段と、前記音源手段で前記各発音開始指示毎に同時に発音される、前記音色が異なる複数の楽音信号の各々に、音色に固有の低周波変調を付加する第２の変調付加手段と、
前記第１の変調付加手段と、前記第２の変調付加手段との何れかを選択的に動作させる第１の選択手段とを備えたことを特徴とする電子楽器。
　【請求項２】前記音源手段が、弦楽器の演奏操作態様および弦楽器以外の演奏操作態様を含む複数の演奏操作態様に対応して、何れかの発音態様にて複数の楽音信号を発音可能であり、さらに、
前記音源手段で全ての楽音信号が消音されている状態から発音開始される発音指示毎の楽音信号の各々に、対応する発音開始時を基準に漸次変調度が増加して所定時間後に一定の変調度になる低周波変調を付加する第３の変調付加手段と、
前記音源手段で全ての楽音信号が消音されている状態から最初の発音指示に応答して発音開始される楽音信号に、該発音開始時を基準に漸次変調度が増加し所定時間後に一定の変調度になる低周波変調を付加し、かつ、２番目以降の発音指示に応答して発音開始される楽音信号に、前記最初の発音指示に応答して発音開始された楽音信号に付加される低周波変調に同期した低周波変調を付加する第４の変調付加手段と、
前記音源手段が弦楽器の演奏操作態様にしたがって楽音信号を発音すべき場合に、前記第３の変調付加手段を選択的に動作させ、その一方、前記音源手段が弦楽器以外の演奏操作態様にしたがって楽音信号を発音すべき場合に、前記第４の変調付加手段を選択的に動作させる第２の選択手段とを備えたことを特徴とする請求項１に記載の電子楽器。
イ．引用刊行物の記載
　これに対して、当審が取消理由通知において示した刊行物１〜３には、それぞれ、以下の通り記載されている。
［刊行物１：実願昭５２−７４６４７号（実開昭５４−２４２０号公報）のマイクロフィルム］
「電子楽器の演奏音に付加される変調効果としては、ビブラート、トレモロ、ワゥーワゥ等の効果が存在するものであるが、これらの変調効果は演奏楽音の周波数、振幅、音色等を低周波信号で変調することによって表現される。」（第１頁第１６行〜第２０行）
「第２図は上記のような変調効果装置を実際に電子楽器に応用した例を示すもので、この電子楽器は２系列にした第１および第２の楽音形成回路１６ａ，１６ｂを有する。この第１および第２の楽音形成回路１６ａ，１６ｂは、それぞれ独立して音源信号を発生する電圧制御型可変周波数発振器１７ａ，１７ｂ（以下ＶＣＯと略称する）を有し、このＶＣＯ１７ａ，１７ｂは鍵盤回路１８からの操作鍵音高に対応した音高電圧信号ＫＶで駆動され、操作鍵音高に対応した周波数の音源信号を発振するように設定されている。
　ＶＣＯ１７ａ，１７ｂからの音源信号は、それぞれ電圧制御型可変フィルタ１９ａ，１９ｂ（以下ＶＣＦと略称する）で音色形成して楽音信号とし、さらに電圧制御型可変利得増幅器２０ａ，２０ｂ（以下ＶＣＡと略称する）で振幅エンベロープを設定し、混合回路２１で混合合成する。
そして、この合成された楽音信号は、適宜リング変調回路２２を介して取り出し、図示しないスピーカ回路に導き、演奏音として発音させるようにする。」（第４頁第２０行〜第６頁第１行）
「このエンベロープ発生回路２３ａ〜２５ｂには、前記鍵盤回路１８から押鍵、離鍵の鍵動作に対応して発生されるキーイング信号ＫＯＮをそれぞれ供給し、このキーイング信号をトリガとして可変抵抗等で設定される条件に対応したエンベロープ波形信号を発生させるものである。
　すなわち、ＶＣＯ１７ａ，１７ｂ、ＶＣＦ１９ａ，１９ｂ、ＶＣＡ２０ａ，２０ｂそれぞれを鍵操作に対応したエンベロープ波形信号で制御し、自然性、音楽性豊かな演奏音が発生されるようにするものである。
　このような電子楽器においてＶＣＯ１７ａ，１７ｂは音源信号の周波数変調回路として作用するものであり、ＶＣＦ１９ａ，１９ｂは音色変調回路として作用し、さらにＶＣＡ２０ａ，２０ｂは振幅変調回路として作用する。すなわち、ＶＣＯ１７ａ，１７ｂ、ＶＣＦ１９ａ，１９ｂ、ＶＣＡ２０ａ，２０ｂに対して、それぞれ選択スイッチＳ１〜Ｓ６を介して変調信号を取り出し、ポテンショメータＰ１〜Ｐ６、バッファアンプＢ１〜Ｂ６、さらに表示ランプＬ１〜Ｌ６からなるちょうど第１図に示したような装置を介して変調信号を供給することにより、第１および第２の楽音形成回路１６ａ，１６ｂでそれぞれ発生される楽音信号の周波数、音色、振幅の変調制御を行うようにされる。」（第６頁第６行〜第７頁第１２行）
「また、リング変調回路２２に対しても、上記同様選択スイッチＳ７、ポテンショメータＰ７、バッファアンプＢ７、表示ランプＬ７の回路を設け、合成楽音信号に対して適宜リング変調効果を付加し得るようにしてなる。
　すなわち、上記のような電子楽器によれば、選択スイッチＳ１〜Ｓ７を適宜操作設定することにより、各対応する変調手段に対する変調波形信号を選定することができ、かつポテンショメータＰ１〜Ｐ７で各変調効果の深さをそれぞれ独立的に制御できるものである。したがって、非常に多様性に富んだ変調効果が表現されるようになる。」（第７頁第１９行〜第８頁第１１行）
「以上のようにこの考案によれば、電子楽器における楽音の各変調制御部における変調付加状態を、それぞれ独立的に変調付加の有、無、また変調深さ等を明確に表示設定できるものであり、電子楽器に対する変調効果の付加設定、切換制御が非常に効率的に実行し得るようになる。」（第８頁第１７行〜第９頁第２行）
［刊行物２：「シンセサイザーの歴史を変えるＤＸ７ＩＩ」（キーボード・マガジン別冊　ＳＵＰＥＲ　Ｘ　実戦活用法（昭和６２年３月３１日発行、株式会社リットーミュージック）、第１８頁〜第２２頁）］
「さて、ＬＦＯセクションにも新しいパラメーターが増えている。マルチＬＦＯというのがそれである。マルチＬＦＯというのは、各キーごとにＬＦＯの位相がずれるというもので、一見ものすごく地味な機能のように思えるが、これがかなりの効果を発揮するのだ（図▲４▼）。マルチにしていないと、最初に弾いた鍵盤のタイミングですべての音に同じ位相でビブラートなどが効いてしまうが、マルチにすれば、それぞれ弾いたタイミングでＬＦＯがかかり始める。すぐに思いつくのは、ディレイ・ビブラートを使った場合であろう。前のＤＸ７では、マルチ・モードがないために、最初に弾いたキーではちゃんとディレイ・ビブラートになるのに、２番目以降のキーでは、ディレイ・ビブラートはかからず、いきなりビブラートがかかってしまう。しかも、位相がすべてそろっているので、音の厚みという点で、なかなかビブラートによる効果が得られない。これはＤＸ７に限らず、従来のシンセはほとんどこのようになっていた。マルチ・モードにすれば、この問題は簡単に解決する。
　ＬＦＯのマルチ・モードの本来の目的は、和音で弾いた時に、各音のビブラートの位相がずれることによって生じるコーラス効果を得ることである。これはストリングス系、ブラス系で特に効果を発揮する。ただ、和音で弾かなければ、ビブラートの位相のずれも起こりようがないが、先のユニゾンと合わせると強力なコーラス効果を得ることができる。つまり、ユニゾンにすればキーひとつに対して４つの音が鳴り、そのそれぞれの音にかかるビブラートの位相がずれるので、４相コーラスといった感じの素晴らしい効果になる。ユニゾンのデチューンと、マルチＬＦＯによるコーラスを付け加えれば、カタログにある『コーラス効果は極限に達します』のとおりになる。また、この場合にＬＦＯシンクはオフにしておくことを忘れてはならない。シンクがオンだと、せっかくマルチにしても、強制的に位相を合わせてしまい、位相のずれが起こらなくなる（図▲５▼）。ＬＦＯによるビブラートも、このようにして使うと全く新しいエフェクトになる。ＤＸ７ＩＩは、いかにもデジタルという感じのＦＭ音源の音に、アナログ的な厚みを加えるため、数々の新機能を装備しているのだ。」（第２０頁左上欄第１０行〜第２１頁左欄第１５行）
［刊行物３：特開昭５８−５７９６号公報］
「この発明は、ディレイビブラート制御をデジタル的に行う電子楽器のディレイビブラート制御方式に関する。」（第１頁右下欄第１４行〜第１６行）
「次に、本実施例の動作について説明する。比較部１０に於ては、深さ設定部９０の出力データとディレイカウンタ部１１の出力データとの大小を比較し、この比較の結果、小さい方のデータを送出する。したがって、比較部１０からはディレイカウンタ部１１の出力データが深さ設定部９０の設定値に達するまでは、ディレイカウンタ部１１の出力データが送出され、それ以降は深さ設定部９０の出力データが送出される。そして、比較部１０から送出されたデータは、乗算器１００に供給され、ビブラート波形メモリ部８からのビブラート波形情報と乗算される。その結果、乗算器１００からは第９図に示すディレイビブラート波形が得られる。」（第９頁右下欄第１９行〜第１０頁左上欄第１２行）
ウ．本件発明との対比・判断
（請求項１の発明について）
　本件の特許請求の範囲の請求項１の発明（以下前者という）と上記刊行物１記載のもの（以下後者という）とを対比すると、後者において付加される「変調効果」は、「演奏楽音の周波数、振幅、音色等を低周波信号で変調する」ものであるから、低周波変調を意味することは明らかである。
▲１▼後者の２系列の「第１及び第２の楽音形成回路１６ａ，１６ｂ」は、「それぞれ独立して音源信号を発生する電圧制御型可変周波数発振器１７ａ，１７ｂ（以下ＶＣＯと略称する）を有し、このＶＣＯ１７ａ，１７ｂは鍵盤回路１８からの操作鍵音高に対応した音高電圧信号ＫＶで駆動され、操作鍵音高に対応した周波数の音源信号を発振するように設定され」、それぞれの音色は、「それぞれ電圧制御型可変フィルタ１９ａ，１９ｂ（以下ＶＣＦと略称する）で音色形成」されるものである。そして、その発音は、「鍵盤回路１８から押鍵、離鍵の鍵動作に対応して発生されるキーイング信号ＫＯＮをそれぞれ供給し、このキーイング信号をトリガとして可変抵抗等で設定される条件に対応したエンベロープ波形信号」に応じて行われるものであるから、それぞれの楽音形成回路により発音される複数の楽音信号は、鍵盤回路の押鍵操作による発音指示毎に発音されるものと認められる。
　また、例えば混合回路２１での混合合成比率を一方の系列の出力楽音信号のみを出力するように設定すれば、「音色が異なる複数の楽音信号を同時に発音する発音態様」以外の発音態様で発音可能であることは明らかである。
　したがって、後者の「第１及び第２の楽音形成回路１６ａ、１６ｂ」は、前者の「各発音開始指示毎に音色が異なる複数の楽音信号を同時に発音する第１の発音態様を含む一以上の発音態様のいずれかにて発音する音源手段」に対応する。
▲２▼後者の「リング変調回路２２」は、「合成楽音信号に対して適宜リング変調効果を付加」するものであるから、前者の「該音源手段で前記各発音開始指示毎に同時に発音される、前記音色が異なる複数の楽音信号に共通の低周波変調を付加する第１の変調付加手段」に対応する。
▲３▼後者において、「ＶＣＯ１７ａ，１７ｂは音源信号の周波数変調回路として作用するものであり、ＶＣＦ１９ａ，１９ｂは音色変調回路として作用し、さらにＶＣＡ２０ａ，２０ｂは振幅変調回路として作用」し、「ＶＣＯ１７ａ，１７ｂ、ＶＣＦ１９ａ，１９ｂ、ＶＣＡ２０ａ，２０ｂに対して、それぞれ選択スイッチＳ１〜Ｓ６を介して変調信号を取り出し、ポテンショメータＰ１〜Ｐ６、バッファアンプＢ１〜Ｂ６、さらに表示ランプＬ１〜Ｌ６からなるちょうど第１図に示したような装置を介して変調信号を供給することにより、第１および第２の楽音形成回路１６ａ，１６ｂでそれぞれ発生される楽音信号の周波数、音色、振幅の変調制御を行うようにされる」ものである。
　よって、後者の「ＶＣＯ１７ａ，ＶＣＦ１９ａ，ＶＣＡ２０ａ」と「ＶＣＯ１７ｂ，ＶＣＦ１９ｂ，ＶＣＡ２０ｂ」は、「第１および第２の楽音形成回路１６ａ，１６ｂ」で各発音開始指示毎に同時に発音される、音色が異なる複数の楽音信号の各々に、音色毎に独立に低周波変調を付加するものであるから、前者の「前記音源手段で前記各発音開始指示毎に同時に発音される、前記音色が異なる複数の楽音信号の各々に、音色に固有の低周波変調を付加する第２の変調付加手段」に対応する。
▲４▼後者の「選択スイッチＳ１〜Ｓ７」と、「ポテンショメータＰ１〜Ｐ７」は、「選択スイッチＳ１〜Ｓ７を適宜操作設定することにより、各対応する変調手段に対する変調波形信号を選定することができ、かつポテンショメータＰ１〜Ｐ７で各変調効果の深さをそれぞれ独立的に制御できる」から、各変調付加手段の動作を設定する手段である。
　したがって、両者は、
「各発音開始指示毎に音色が異なる複数の楽音信号を同時に発音する第１の発音態様を含む一以上の発音態様のいずれかにて発音する音源手段と、該音源手段で前記各発音開始指示毎に同時に発音される、前記音色が異なる複数の楽音信号に共通の低周波変調を付加する第１の変調付加手段と、前記音源手段で前記各発音開始指示毎に同時に発音される、前記音色が異なる複数の楽音信号の各々に、音色に固有の低周波変調を付加する第２の変調付加手段と、
前記第１の変調付加手段と、前記第２の変調付加手段の動作を設定する手段とを備えた電子楽器。」である点で一致し、前者においては、「第１の変調付加手段」と、「第２の変調付加手段」は、「何れかをを選択的に動作させる第１の選択手段」により選択的に動作するのに対して、後者の「リング変調回路２２」と、「ＶＣＯ１７ａ，ＶＣＦ１９ａ，ＶＣＡ２０ａ」と「ＶＣＯ１７ｂ，ＶＣＦ１９ｂ，ＶＣＡ２０ｂ」は、「選択スイッチＳ１〜Ｓ７」と、「ポテンショメータＰ１〜Ｐ７」により、「選択スイッチＳ１〜Ｓ７を適宜操作設定することにより、各対応する変調手段に対する変調波形信号を選定することができ、かつポテンショメータＰ１〜Ｐ７、で各変調効果の深さをそれぞれ独立的に制御できる」点で相違している。
　上記相違点について検討すると、複数の個別に動作可能な手段の動作設定を行う場合に、各手段に対してそれぞれ独立的に制御するか、何れかの手段を選択的に動作させるかは、当業者が必要に応じて行いうる設計的事項に過ぎず、このための「選択手段」を設けることに、格別の困難性は認められない。
（請求項２の発明について）
　上記引用刊行物２には、任意の２音色をとりだしてきて同時に発音させることのできるシンセサイザーにおいて、「マルチＬＦＯ」を有し、「マルチにしていないと、最初に弾いた鍵盤のタイミングですべての音に同じ位相でビブラートなどが効いてしまうが、マルチにすれば、それぞれ弾いたタイミングでＬＦＯ」がかかること、また、マルチＬＦＯを用いることにより、２番目以降のキーでは、ディレイ・ビブラートはかからない、という問題を「マルチ・モードにすれば、この問題は簡単に解決する」こと、また、「ＬＦＯのマルチ・モードの本来の目的は、和音で弾いた時に、各音のビブラートの位相がずれることによって生じるコーラス効果を得ること」であり、「これはストリングス系、ブラス系で特に効果を発揮する」ことが記載されている。
　また、上記引用刊行物３には、電子楽器のディレイ・ビブラート制御方式において、ディレイ・ビブラート波形は、遅延時間Ｔ’の期間振幅が漸次増加し、その後一定となるものであることが記載されている。
　よって、上記引用刊行物２の「ディレイ・ビブラート」は、「発音開始時を基準に漸次変調度が増加して所定時間後に一定の変調度になる低周波変調」ものと認められ、この「ディレイ・ビブラート」を「マルチにした」状態と、「マルチにしていない」状態のいずれかを選択ずることは、本件請求項２の「第３の変調付加手段」と、「第４の変調付加手段」のいずれかを選択的に動作させることに対応するものと認められる。
　そして、上記引用刊行物２の「マルチ・モードは、ストリングス系、ブラス系で特に効果を発揮する」旨の記載に基づいて、選択手段を、弦楽器の演奏操作態様にしたがって楽音信号を発音すべき場合には、第３の変調付加手段を選択的に動作させ、弦楽器以外の演奏操作態様にしたがって楽音信号を発音すべき場合には、第４の変調付加手段を選択的に動作させるよう構成することは、当業者が容易になし得るものと認める。
　その余の点については、上記（請求項１の発明について）と同様である。
　したがって、本件の特許請求の範囲の請求項２に記載された発明は、上記刊行物１〜３記載の発明に基づいて当業者が容易に想到し得たものである。
エ．むすび
　以上のとおり、本件の特許請求の範囲の請求項１、請求項２に係る発明は、いずれも、上記刊行物１〜３に記載された発明に基づいて当業者が容易に発明をすることができたものであるから、上記請求項１、請求項２に係る特許は特許法第２９条第２項の規定に違反してされたものである。
　したがって、本件の特許請求の範囲の請求項１、請求項２に係る特許は特許法第１１３条第１項第２号に該当する。
　よって、結論のとおり決定する。
【異議決定日】
平成１１年９月２８日（１９９９．９．２８）